(57)【特許請求の範囲】
【請求項１】
円筒形状の口頸部の外周面には雄螺条と該雄螺条の下方に位置する係止あご部が形成されている容器のための合成樹脂製容器蓋であって、円形天面壁と該天面壁の周縁から垂下する円筒形スカート壁とを具備し、該スカート壁には周方向に延びる破断ラインが形成されていて、該スカート壁は該破断ラインより上方の主部と該破断ラインより下方のタンパーエビデント裾部とに区画され、該主部の内周面には雌螺条が形成され、該タンパーエビデント裾部の内周面には係止手段が配設されている合成樹脂製容器蓋において、
該係止手段は周方向に間隔をおいて半径方向内方に突出する複数個の突起から構成されており、該突起は複数個の第一の突起と複数個の第二の突起とを含み、該第一の突起と該第二の突起とは周方向に等間隔をおいて交互に位置し、第一の突起の係止上面の軸線方向位置は全て同一であり、該第二の突起の係止上面の軸線方向位置は全て同一であり、該第一の突起の該係止上面の軸線方向位置は該第二の突起の該係止上面の軸線方向位置よりも上方であり、
該破断ラインは周方向に等間隔をおいて配設された複数個のスリットと該スリット間に夫々残留せしめられた複数個の橋絡部とから構成され、該複数個のスリットの周方向長さは全て同一であり、該橋絡部の横断面積は全て同一であり、
該容器の該口頸部の該雄螺条に該雌螺条を螺合させ該第一の突起と該第二の突起とを該口頸部の該係止あご部の下方に位置させて該口頸部を密封した状態において、該雄螺条に対する該雌螺条の螺合を解除する開方向に回転させると、最初に該第一の突起が該係止あご部に係止し、次いで該第二の突起が該係止あご部に係止し、これによって該橋絡部の破断が２段階で或いは漸次に進行する、
ことを特徴とする合成樹脂製容器蓋。
【発明の詳細な説明】
【技術分野】
【０００１】
本発明は、円形天面壁の周縁から垂下する円筒形スカート壁に周方向に延びる破断ラインが形成されており、かかる破断ラインは複数個の橋絡部を含む形態の合成樹脂製容器蓋に関する。
【背景技術】
【０００２】
周知の如く、飲料用として、ガラス、合成樹脂或いは金属薄板から形成された容器と合成樹脂から形成された容器蓋との組み合わせが広く実用に供されている。容器は円筒形状の口頸部を有し、この口頸部の外周面には雄螺条とこの雄螺条の下方に位置する係止あご部が形成されている。一方、容器蓋は円形天面壁とこの天面壁の周縁から垂下する円筒形スカート壁とを有する。スカート壁には周方向に延びる破断ラインが形成されており、スカート壁は破断ラインより上方の主部と破断ラインより下方のタンパーエビデント裾部とに区画されている。破断ラインは周方向に間隔をおいて配設された複数個の橋絡部を含み、タンパーエビデント裾部は橋絡部を介して主部に接続されている。スカート壁の主部の内周面には口頸部の雄螺条に螺合される雌螺条が形成されており、スカート壁のタンパーエビデント裾部の内周面には口頸部の係止あご部に係止される係止手段が配設されている。
【０００３】
容器内に飲料を充填した後に、容器の口頸部に容器蓋を被嵌し容器蓋を閉方向に回転して容器蓋の雌螺条を口頸部の雄螺条に螺合せしめて口頸部に容器蓋を装着し、口頸部を密封する。スカート壁のタンパーエビデント裾部に配設されている係止手段は口頸部の係止あご部を弾性的に乗り越えて係止あご部の下方に位置する。口頸部を開封して飲料を消費する際には、容器蓋を開方向に回転せしめる。かくすると、雌螺条と雄螺条との螺合解除に応じて口頸部に対して容器蓋が上昇せしめられる。容器蓋が幾分か上昇せしめられると、スカート壁のタンパーエビデント裾部に配設されている係止手段が口頸部の係止あご部の下面に係止せしめられ、これによってタンパーエビデント裾部の上昇が阻止される。容器蓋の開方向への回転を続けると、スカート壁に形成されている破断ラインにおける橋絡部に生成される応力によって橋絡部が破断され、スカート壁のタンパーエビデント裾部が主部から分離される。容器蓋の開回転方向への回転を続けると、タンパーエビデント裾部を残留せしめて容器蓋が口頸部から離脱され、口頸部が解放される。
【０００４】
上述したとおりの容器蓋において、破断ラインに存在する複数個の橋絡部が実質上同時に破断せしめられる場合には、橋絡部を破断する際に必要とされるトルクが過大になり、特に女性及び子供にとっては橋絡部の破断が著しく困難となり、従って口頸部の開封が著しく困難になる傾向がある。そこで、下記特許文献１には、複数個の橋絡部の横断面積を適宜に変化せしめて、複数個の橋絡部が実質上同時ではなくて横断面積が小さいものから順次に破断されるようになすことが提案されている。
【先行技術文献】
【特許文献】
【０００５】
【特許文献１】特開平７‐３００１４７号公報
【発明の概要】
【発明が解決しようとする課題】
【０００６】
本発明者等の経験によれば、上記特許文献１に開示されている形態の容器蓋においては、１個又は数個の橋絡部が破断されることなく容器蓋の主部が口頸部から離脱されてしまって、口頸部に残留するタンパーエビデント裾部に１個又は数個の橋絡部を介して容器蓋の主部が接続され続ける状態（一般に「首吊り状態」或いは「お化け提灯」と称されている）が発生してしまう傾向がある。
【０００７】
本発明は上記事実に鑑みてなされたものであり、その主たる技術的課題は、容器の口頸部を開封する際に、全ての橋絡部が実質上同時ではなくて適宜に時間間隔をおいて破断され、従って橋絡部の破断に過大なトルクが必要とされることはないにも拘らず、１個又は数個の橋絡部が破断されることなく残留することが可及的に回避される、新規且つ改良された合成樹脂製容器蓋を提供することである。
【課題を解決するための手段】
【０００８】
本発明者等は鋭意検討の結果、上記特許文献１に開示された形態の容器蓋においては、複数個の橋絡部の破断が周方向において均一に遂行されないことに起因して、換言すれば複数個の橋絡部の破断が周方向に不均一に遂行されることに起因して、１個又は数個の橋絡部が破断されることなく残留してしまう傾向があることを認識した。そして、かかる認識に基づいて、複数個の橋絡部が適宜の時間間隔をおいて破断されるが、橋絡部の破断は周方向において均一乃至略均一に遂行されるようになすことによって、上記主たる技術的課題を達成することができることを知得した。そして、複数個の橋絡部が適宜の時間間隔をおいて破断されるが、橋絡部の破断は周方向において可及的に均一に遂行されるようになすためには、タンパーエビデント裾部の内周面に配設される係止手段を周方向に間隔をおいて半径方向内方に突出する複数個の突起から構成し、かかる突起は複数個の第一の突起と複数個の第二の突起とを含み、第一の突起と第二の突起とは周方向に等間隔をおいて交互に位置し、第一の突起の係止上面の軸線方向位置は全て同一であり、第二の突起の係止上面の軸線方向位置は全て同一であり、第一の突起の該係止上面の軸線方向位置は該第二の突起の該係止上面の軸線方向位置よりも上方である形態にすると共に、破断ラインは周方向に等間隔をおいて配設された複数個のスリットとスリット間に夫々残留せしめられた複数個の橋絡部とから構成され、複数個のスリットの周方向長さは全て同一であり、橋絡部の横断面積は全て同一である形態にすればよいことを見出した。
【０００９】
即ち、本発明によれば、上記主たる技術的課題を達成する合成樹脂製容器蓋として、円筒形状の口頸部の外周面には雄螺条と該雄螺条の下方に位置する係止あご部が形成されている容器のための合成樹脂製容器蓋であって、円形天面壁と該天面壁の周縁から垂下する円筒形スカート壁とを具備し、該スカート壁には周方向に延びる破断ラインが形成されていて、該スカート壁は該破断ラインより上方の主部と該破断ラインより下方のタンパーエビデント裾部とに区画され、該主部の内周面には雌螺条が形成され、該タンパーエビデント裾部の内周面には係止手段が配設されている合成樹脂製容器蓋において、
該係止手段は周方向に間隔をおいて半径方向内方に突出する複数個の突起から構成されており、該突起は複数個の第一の突起と複数個の第二の突起とを含み、該第一の突起と該第二の突起とは周方向に等間隔をおいて交互に位置し、第一の突起の係止上面の軸線方向位置は全て同一であり、該第二の突起の係止上面の軸線方向位置は全て同一であり、該第一の突起の該係止上面の軸線方向位置は該第二の突起の該係止上面の軸線方向位置よりも上方であり、
該破断ラインは周方向に等間隔をおいて配設された複数個のスリットと該スリット間に夫々残留せしめられた複数個の橋絡部とから構成され、該複数個のスリットの周方向長さは全て同一であり、該橋絡部の横断面積は全て同一であり、
該容器の該口頸部の該雄螺条に該雌螺条を螺合させ該第一の突起と該第二の突起とを該口頸部の該係止あご部の下方に位置させて該口頸部を密封した状態において、該雄螺条に対する該雌螺条の螺合を解除する開方向に回転させると、最初に該第一の係止突起が該係止あご部に係止し、次いで該第二の突起が該係止あご部に係止し、これによって該橋絡部の破断が２段階で或いは漸次に進行する、
ことを特徴とする合成樹脂製容器蓋が提供される。
【発明の効果】
【００１１】
本発明の合成樹脂製容器蓋においては、容器の口頸部を開封する際には、最初に第一の突起の係止上面が係止あご部に係止し、従って第一の突起が配設されている角度領域に或いはその近傍に存在する橋絡部が破断され、次いで若干の時間遅れの後に第二の突起の係止上面が係止あご部に係止し、従って第二の突起が配設されている角度領域に或いはその近傍に存在する橋絡部が破断される。第一の突起と第二の突起とは周方向に等間隔をおいて交互に配設されており、そしてまた複数個の橋絡部は周方向に等間隔をおいて配列され且つ橋絡部の横断面積は全て同一であり、それ故に橋絡部の破断は周方向に均等に遂行される。かくして、橋絡部の破断に過大なトルクが必要とされることはないにも拘らず、１個又は数個の橋絡部が破断されることなく残留することが回避される。
【図面の簡単な説明】
【００１２】
【図１】本発明に従って構成された合成樹脂製容器蓋の好適実施形態を、一部を断面で示す正面図。
【図２】図１に示すタンパーエビデント裾部の展開図。
【図３】図１の容器蓋を容器の口頸部に装着した状態を、一部を断面で示す正面図。
【図４】図３に示す状態から容器蓋を回転方向に幾分回転せしめて、第一の突起の係止上面が係止あご部に係合した状態の断面図。
【図５】図４に示す状態から容器蓋を回転方向に更に幾分回転せしめた状態における正面図。
【発明を実施するための形態】
【００１３】
以下、添付図面を参照して、本発明に従って構成された合成樹脂製容器蓋の好適実施形態について、更に詳述する。
【００１４】
図１を参照して説明すると、ポリエチレン又はポリプロピレンの如き適宜の合成樹脂から射出成型又は圧縮成形することができる容器蓋２は、円形天面壁４とこの天面壁４の周縁から垂下する円筒形スカート壁６とを具備する。天面壁４の内面外周縁部には、下方に垂下する円筒形状の内側シール片８及び同様に下方に垂下する円筒形状の外側シール片１０が形成されている。更に、内側シール片８と外側シール片１０との間には比較的小さい環状突条９が形成されている。
【００１５】
スカート壁６は比較的肉厚の厚肉上部１２と比較的肉薄の薄肉下部１４を有する。薄肉下部１４の上端部には周方向に延びる破断ライン１６が形成されており、スカート壁６は破断ライン１６より上方の主部１８と破断ライン１６より下方のタンパーエビデント裾部２０とに区画されている。破断ライン１６は周方向に間隔をおいて周方向に延びる複数個のスリット（切り溝）２２とスリット２２間に残留せしめられている複数個の橋絡部２４とから構成されており、タンパーエビデント裾部２０は複数個の橋絡部２４を介して主部１８に接続されている。複数個のスリット２２の周方向長さは全て実質上同一であると共に、隣接するスリット２２の間隔、即ち橋絡部２４の周方向長さも全て実質上同一であり、複数個の橋絡部２４の横断面積は全て実質上同一であることが重要である。
【００１６】
スカート壁６の主部１８の外周面には、周方向に見て交互に存在する凹凸形状から構成された滑り止めローレット２６が形成されている。スカート壁６の主部１８の内周面には３条の雌螺条２８が形成されている。３条の雌螺条２８は１２０度の角度間隔をおいて配設されており、３条の雌螺条２８の各々は略１６０度の角度範囲に渡って延在せしめられている。
【００１７】
タンパーエビデント裾部２０の内周面には係止手段３０が配設されている。本発明に従って構成された容器蓋２においては、係止手段３０は周方向に間隔をおいて半径方向内方に突出する複数個の突起から構成されており、複数個の突起は係止上面の軸線方向位置が異なる少なくとも２種の突起を含んでいることが重要である。図１及び図２を参照して説明すると、図示の実施形態においては、係止手段３０は３個の第一の突起３２と３個の第二の突起３４とから構成されている。第一の突起３２と第二の突起３４とは周方向に等間隔をおいて交互に配置されており、第一の突起３２と第二の突起３４との周方向長さは全て同一である。３個の第一の突起３２の略水平に延在する係止上面３３の軸線方向位置は全て同一であり、そしてまた３個の第二の突起３４の略水平に延在する係止上面３５の軸線方向位置は全て同一であるが、第一の突起３２の係止上面３３の軸線方向位置は第二の突起３４の係止上面３５の軸線方向位置よりも０．５乃至１．５ｍｍ程度上方に位置している。第一の突起３２及び第二の突起３４の各々の主部（両端部を除く部分）の縦断面形状は略直角三角形状であり、略水平に半径方向内方に或いは半径方向内方に向かって下方に若干傾斜して延出する上面を有する形態である。
【００１８】
タンパーエビデント裾部２０の内周面においては、上記係止手段３０よりも上方において、大径上部３８と小径下部４０とが配設されている。大径上部３８は内径ｄ１を有し、小径下部４０は内径ｄ２を有し、内径ｄ２は内径ｄ１よりも小さい（ｄ２＜ｄ１）。大径上部３８と小径下部４０との間には下方に向かって内径が漸次減少する逆円錐台形状である境界部４２が存在する。
【００１９】
図３には、容器蓋２と共に容器の口頸部４４も図示されている。ポリエチレンテレフタレートの如き適宜の合成樹脂、ガラス或いは金属薄板から形成することができる容器の口頸部４４は全体をして円筒形状であり、口頸部４４の外周面には３条の雄螺条４６と雄螺条４６の下方に位置する係止あご部４８が形成されている。３条の雄螺条４６は容器蓋２における上記３条の雌螺条２８に対応して形成されており、１２０度の角度間隔をおいて配設され略１６０度の角度範囲に渡って延在せしめられている。係止あご部４８は下方に向かって外径が漸次増大する円錐台形状の上面５０、円筒形状である外周面５２及び実質上水平に延在する下面５４を有する。口頸部４４の外周面には、更に、係止あご部４８の下方に位置するサポートリング５６（かかるサポートリング５６は当業者には周知の如く容器の搬送に利用される）も配設されている。
【００２０】
容器内に内容物を充填した後に口頸部４４に容器蓋２を装着して口頸部４４を密封する際には、口頸部４４に容器蓋２を被嵌して容器蓋２を閉回転方向、図３において上方から見て時計方向、に回転せしめ、容器蓋２の雌螺条２８を口頸部４４の雄螺条４６に螺合せしめる。図３に示す状態まで雌螺条２８を雄螺条４６に螺合せしめると、容器蓋２の内側シール片８が口頸部４４内に進入して口頸部４４の内周面に密接され、環状突条９が口頸部４４の頂面に密接せしめられ、外側シール片１０が口頸部４４の外周面に密接乃至近接せしめられ、かくして口頸部４４が密封される。タンパーエビデント裾部２０の内周面に配設されている係止手段３０、即ち第一の突起３２及び第二の突起３４は口頸部４４の係止あご部４８を弾性的に（即ちタンパーエビデント裾部２０の弾性変形乃至変位によって）乗り越えて係止あご部４８の下方に位置する。
【００２１】
口頸部４４に容器蓋２を所要とおりに装着した状態、即ち図３に図示するとおりの状態において、タンパーエビデント裾部２０の内周面における大径上部３８が口頸部４４における係止あご部４８の外周面５２に対抗して位置する。係止あご部４８の外径Ｄに対して大径上部３８の内径ｄ１はｄ１≧Ｄ、好ましくは０ｍｍ≦（ｄ１−Ｄ）≦０．４ｍｍ程度であるのが好都合であり、大径上部３８は係止あご部４８に遊嵌、即ち密接せしめられることなく実質上離間（単なる接触状態も含む）されている或いは比較的弱く係合していることが望ましい。
【００２２】
内容物を消費するために口頸部４４を開封する際には、容器蓋２を開方向、即ち図３において上方から見て反時計方向、に回転せしめる。かかる回転の初期においては、タンパーエビデント裾部２０の内周面における大径上部３８が口頸部４４の係止あご部４８に遊嵌或いは弱く係合されている故に、必要初期トルクが過大になることはない。容器蓋２を開回転方向に幾分か回転せしめて口頸部４４に対して容器蓋２が幾分上昇せしめられると、図4に示すとおり、タンパーエビデント裾部２０の内周面における小径下部４０が口頸部４４の係止あご部４８の外周面５２に対向して位置する。係止あご部４８の外径Ｄに対して小径下部４０の内径ｄ２はｄ２≦Ｄ、好ましくは０ｍｍ＜（Ｄ−ｄ２）≦０．５ｍｍであって、係止あご部４８の外周面５２に対して小径下部４０が締り嵌め状態になる。これと同時に或いはこれよりも若干前又は後に、第一の突起３２の係止上面３３が係止あご部４８の下面５４に当接する。一方、図４に二点鎖線で図示する如く、第二の突起３４の係止上面３５は係止あご部４８の下面５４よりも幾分（０．５乃至１．５ｍｍ程度）下方に位置している。
【００２３】
図４に図示する状態から容器蓋２を更に開方向に回転せしめると、タンパーエビデント裾部２０における、第一の突起３２が存在する領域では上方への移動が阻止され、一方第二の突起３４が存在する領域では上方への移動は未だ阻止されない故に、図５に図示する如くタンパーエビデント裾部２０の上縁は実質上水平に延在する状態から波形状に変形され、第一の突起３２が存在する領域或いはその近傍に位置する橋絡部２４が破断される。しかる後に幾分かの時間遅れを伴って第二の突起３４の係止上面３５が係止あご部４８の下面５４に係止し、第二の突起３４が存在する領域或いはその近傍に位置する橋絡部２４が破断される。かように、全ての橋絡部２４が同時に破断されるのではなくて、橋絡部２４の破断は若干の時間遅れを伴って２段階で或いは漸次に進行せしめられる故に、橋絡部２４の破断に過大なトルクを必要とすることがない。そしてまた、第一の突起３２と第二の突起３４は周方向に均一に配置されている故に、橋絡部２４の破断は周方向において均一に遂行され、従って橋絡部２４の１個或いは数個が破断されることなく残留することが可及的に回避される。
【００２４】
破断ライン１６がその全体に渡って破断されてタンパーエビデント裾部２０がスカート壁６の主部１８から分離された後においては、容器蓋２の開方向への回転に応じて容器蓋２のタンパーエビデント裾部２０を除く部分が上昇せしめられ、タンパーエビデント裾部２０を口頸部４４に残留せしめて容器蓋２が口頸部４４から離脱され、かくして口頸部４４が開封される。
【符号の説明】
【００２５】
２：容器蓋
４：天面壁
６：スカート壁
１６：破断ライン
１８：主部
２０：タンパーエビデント裾部
２２：スリット
２４：橋絡部
２８：雌螺条
３０：係止手段
３２：第一の突起
３３：第一の突起の係止上面
３４：第二の突起
３５：第二の突起の係止上面
４４：口頸部
４６：雄螺条
４８：係止あご部
【図１】
0005912260.tif 000002
【図２】
0005912260.tif 000003
【図３】
0005912260.tif 000004
【図４】
0005912260.tif 000005
【図５】
0005912260.tif 000006